(57)【特許請求の範囲】
【請求項１】
発光体と、
凹状に形成された凹状部を有し、前記発光体が発した光を所定の照射方向に照射させる導光板と、
前記導光板を収納する収納フレームと、
前記収納フレームの内壁に当接するように配置された弾性部材と、を備え、
前記弾性部材は、少なくとも一部が前記導光板に形成された前記凹状部に当接する凸状部を有し、
前記凸状部は、前記凹状部における外側近傍に位置するように形成されることを特徴とするバックライト装置。
【請求項２】
発光体と、
凹状に形成された凹状部を有し、前記発光体が発した光を所定の照射方向に照射させる導光板と、
前記導光板を収納する収納フレームと、
前記収納フレームの内壁に当接するように配置された弾性部材と、を備え、
前記凹状部は、外側に向かって広がるように傾斜する傾斜部を有し、
前記弾性部材は、前記導光板に設けられた前記凹状部に少なくとも一部が当接する凸状部を有し、
前記凸状部は、前記傾斜部に当接する傾斜当接部を有することを特徴とするバックライト装置。
【請求項３】
前記導光板は、矩形状に形成されており、
前記凹状部は、長手方向に沿った一方側の一側部に形成されることを特徴とする請求項１または請求項２に記載のバックライト装置。
【請求項４】
前記凹状部は、前記長手方向に沿った一方側の一側部に一対形成されることを特徴とする請求項３に記載のバックライト装置。
【請求項５】
前記導光板の表面側に配置され、前記収納フレームに収納される光学シートと、
前記収納フレームに収納された前記導光板及び前記光学シートを固定する固定フレームと、を更に備えることを特徴とする請求項１から請求項４のいずれか１項に記載のバックライト装置。
【請求項６】
前記凹状部の深さは、前記凸状部の長さよりも小さいことを特徴とする請求項１から請求項５のいずれか１項に記載のバックライト装置。
【請求項７】
液晶表示パネルと、
前記液晶表示パネルに光を照射するバックライト装置と、を備える液晶表示装置であって、
前記バックライト装置は、
発光体と、
凹状に形成された凹状部を有し、前記発光体が発した光を前記液晶表示パネルに照射させる導光板と、
前記導光板を収納する収納フレームと、
前記収納フレームの内壁に当接するように配置された弾性部材と、を備え、
前記弾性部材は、少なくとも一部が前記導光板に形成された前記凹状部に当接する凸状部を有し、
前記凸状部は、前記凹状部における外側近傍に位置するように形成されることを特徴とする液晶表示装置。
【請求項８】
液晶表示パネルと、
前記液晶表示パネルに光を照射するバックライト装置と、を備える液晶表示装置であって、
前記バックライト装置は、
発光体と、
凹状に形成された凹状部を有し、前記発光体が発した光を前記液晶表示パネルに照射させる導光板と、
前記導光板を収納する収納フレームと、
前記収納フレームの内壁に当接するように配置された弾性部材と、を備え、
前記凹状部は、外側に向かって広がるように傾斜する傾斜部を有し、
前記弾性部材は、前記導光板に設けられた前記凹状部に少なくとも一部が当接する凸状部を有し、
前記凸状部は、前記傾斜部に当接する傾斜当接部を有することを特徴とする液晶表示装置。
【請求項９】
前記導光板は、矩形状に形成されており、
前記凹状部は、長手方向に沿った一方側の一側部に形成されることを特徴とする請求項７または請求項８に記載の液晶表示装置。
【請求項１０】
前記凹状部は、前記長手方向に沿った一方側の一側部に一対形成されることを特徴とする請求項９に記載の液晶表示装置。
【請求項１１】
前記導光板の表面側に配置され、前記収納フレームに収納される光学シートと、
前記収納フレームに収納された前記導光板及び前記光学シートを固定する固定フレームと、を更に備えることを特徴とする請求項７から請求項１０のいずれか１項に記載の液晶表示装置。
【請求項１２】
前記凹状部の深さは、前記凸状部の長さよりも小さいことを特徴とする請求項７から請求項１１のいずれか１項に記載の液晶表示装置。
【発明の詳細な説明】
【技術分野】
【０００１】
本発明は、発光ダイオード等の発光体を光源として使用する導光板方式のバックライト装置及び液晶表示装置に関する。
【背景技術】
【０００２】
液晶表示装置は、一般に、薄型で軽量、低消費電力であることから、ノート型パーソナルコンピュータ、携帯情報端末、携帯電話機、デジタルカメラ等、小型の電子機器の表示装置として広く使用されている。
【０００３】
このような液晶表示装置は、ブラウン管やプラズマディスプレイとは異なり、それ自体が発光するものではないため、外部から光を入射させて、入射した光の光量を制御することで画像等を表示する。そのため、液晶表示装置には、画像を表示する液晶表示パネルの裏面側にバックライト装置（照明装置）が配置されている。
バックライト装置には、導光板方式と呼ばれるものがある。導光板方式のバックライト装置では、液晶表示パネルの表示領域と対向する位置に導光板を配置する。
【０００４】
また、バックライト装置は、一般に、箱状の金属ケースに発光体及び導光板を収納し、金属ケースの内部でこれらを固定する。そのため、例えば、金属ケースの内部が高温になった場合、ポリカーボネート等の合成樹脂で形成された導光板は、熱膨張を引き起こす場合がある。導光板が熱膨張を引き起こすと、液晶表示パネルに光を好適に照射できなくなることが懸念される。
【０００５】
これに対しては、導光板に突起形状の突起部を設け、その突起部に対応した凹部を有するクッション材を金属ケースの内部に配置した液晶表示装置が開示されている（例えば、特許文献１参照）。
特許文献１に開示の液晶表示装置は、クッション材で導光板を押さえると共に、突起部の先端とクッション材に設けられた凹部との間に、導光板の熱膨張を考慮したクリアランスを設けている。そして、このクリアランスを設けることにより、高温時における導光板の熱膨張に対応する構成としている。
【先行技術文献】
【特許文献】
【０００６】
【特許文献１】特開２００１−２１８８４号公報
【発明の概要】
【発明が解決しようとする課題】
【０００７】
しかしながら、特許文献１に開示の液晶表示装置は、低温時（低温環境下で液晶表示装置を用いる時）に生じうる導光板の収縮には対応することができない。つまり、上述の液晶表示装置は、低温時において導光板が収縮した場合には、突起部の先端とクッション材の凹部との間に設けられたクリアランスが更に大きくなる（広がる）。そのため、導光板を好適に押さえることができなくなる。その結果、少しの振動等で導光板がガタつき、液晶表示装置の不具合を発生させるおそれがある。また、導光板がガタついた場合には、液晶表示装置の内部で不要なガタつき音が発生してしまう。
【０００８】
本発明は、高温時及び低温時に導光板が熱膨張、熱収縮した場合においても、導光板のガタつきを好適に抑制可能なバックライト装置及び液晶表示装置を提供することを目的とする。
【課題を解決するための手段】
【０００９】
本発明の構成は、例えば、以下のようなものとすることができる。
【００１０】
本発明のバックライト装置は、発光体と、凹状に形成された一対の凹状部を有し、前記発光体が発した光を所定の照射方向に照射させる導光板と、前記導光板を収納可能に箱形に形成された収納フレームと、前記収納フレームの内壁に当接するように配置され、前記導光板を押圧可能な一対の弾性部材と、を備え、前記弾性部材は、少なくとも一部が前記導光板に形成された前記凹状部に当接すると共に、前記凹状部を押圧可能な凸状部を有し、前記凸状部は、常温時において、前記凹状部における外側近傍に位置するように形成されることを特徴としている。
【００１１】
本発明のバックライト装置は、発光体と、凹状に形成された一対の凹状部を有し、前記発光体が発した光を所定の照射方向に照射させる導光板と、前記導光板を収納可能に箱形に形成された収納フレームと、前記収納フレームの内壁に当接するように配置され、前記導光板を押圧可能な一対の弾性部材と、を備え、前記凹状部は、外側に向かって広がるように傾斜する傾斜部を有し、前記弾性部材は、前記導光板に設けられた前記凹状部に少なくとも一部が当接するように配置されると共に、前記凹状部を押圧可能な凸状部を有し、前記凸状部は、前記傾斜部に当接な傾斜当接部を有することを特徴としている。
【００１２】
本発明の液晶表示装置は、液晶表示パネルと、前記液晶表示パネルに光を照射するバックライト装置と、を備える液晶表示装置であって、前記バックライト装置は、発光体と、凹状に形成された一対の凹状部を有し、前記発光体が発した光を前記液晶表示パネルに照射させる導光板と、前記導光板を収納可能に箱形に形成された収納フレームと、前記収納フレームの内壁に当接するように配置され、前記導光板を押圧可能な一対の弾性部材と、を備え、前記弾性部材は、少なくとも一部が前記導光板に形成された前記凹状部に当接すると共に、前記凹状部を押圧可能な凸状部を有し、前記凸状部は、常温時において、前記凹状部における外側近傍に位置するように形成されることを特徴としている。
【００１３】
本発明の液晶表示装置は、液晶表示パネルと、前記液晶表示パネルに光を照射するバックライト装置と、を備える液晶表示装置であって、前記バックライト装置は、発光体と、凹状に形成された一対の凹状部を有し、前記発光体が発した光を前記液晶表示パネルに照射させる導光板と、前記導光板を収納可能に箱形に形成された収納フレームと、前記収納フレームの内壁に当接するように配置され、前記導光板を押圧可能な一対の弾性部材と、を備え、前記凹状部は、外側に向かって広がるように傾斜する傾斜部を有し、前記弾性部材は、前記導光板に設けられた前記凹状部に少なくとも一部が当接するように配置されると共に、前記凹状部を押圧可能な凸状部を有し、前記凸状部は、前記傾斜部に当接な傾斜当接部を有することを特徴としている。
【発明の効果】
【００１４】
このように構成したバックライト装置及び液晶表示装置によれば、高温時及び低温時に導光板が熱膨張、熱収縮した場合においても、導光板のガタつきを好適に抑制することができる。
【００１５】
本発明のその他の効果については、明細書全体の記載から明らかにされる。
【図面の簡単な説明】
【００１６】
【図１】本発明の第１実施形態に係る液晶表示装置の分解斜視図である。
【図２】第１実施形態に係るバックライト装置の分解斜視図である。
【図３】第１実施形態に係るバックライト装置を模式的に示した正面図である。
【図４】常温時におけるゴムブッシュと導光板の凹状部との関係を示す正面図である。
【図５】低温時におけるゴムブッシュと導光板の凹状部との関係を示す正面図である。
【図６】高温時におけるゴムブッシュと導光板の凹状部との関係を示す正面図である。
【図７】本発明の第２実施形態に係るバックライト装置の正面図である。
【図８】図７に示すＣ部の部分拡大図である。
【図９】図７に示すＤ部の部分拡大図を示す。
【発明を実施するための形態】
【００１７】
以下、本発明の実施形態に係る液晶表示装置１について図面を参照しながら説明する。
本発明の実施形態に係る液晶表示装置１は、発光ダイオード等の発光体を光源として使用する導光板方式のバックライト装置を有する液晶表示装置に好適に用いられる。
【００１８】
［第１実施形態］
まず、本発明の第１実施形態に係る液晶表示装置１ついて、図１から図３を参照しながら説明する。
図１は、本発明の第１実施形態に係る液晶表示装置１の分解斜視図である。図２は、第１実施形態に係るバックライト装置１２の分解斜視図である。図３は、第１実施形態に係るバックライト装置１２を模式的に示した正面図である。
図１に示すように、第１実施形態に係る液晶表示装置１は、第１固定フレーム１０と、液晶表示パネル１１と、バックライト装置１２と、電源基板１３と、基板カバー１４と、を備える。
【００１９】
第１固定フレーム１０は、液晶表示パネル１１の表示面１１ａ側に配置されており、バックライト装置１２と係合することにより、液晶表示パネル１１を第１固定フレーム１０とバックライト装置１２との間で固定する。
第１固定フレーム１０は、例えば、長尺の金属板を折り曲げ加工等してフレーム状に成形したものであり、液晶表示パネル１１に当接して液晶表示パネル１１を固定するための固定部１０ａと、固定部１０ａの周縁に立設するリブ部１０ｂと、を備える。
リブ部１０ｂには、複数の第１係合穴１０ｃが設けられている。
【００２０】
液晶表示パネル１１は、一対の矩形状の基板の間に液晶材料を封入して形成された表示パネルであり、所定の表示面１１ａを有する。
【００２１】
図１に加え、図２及び図３に示すように、バックライト装置１２は、金属製の収納フレーム２と、発光体としての複数の発光ダイオードＬＥＤを有するフレキシブル基板３と、弾性部材である一対のゴムブッシュ４と、反射板５と、導光板６と、複数の光学シート７と、固定フレームとしての第２固定フレーム８と、を備える。
【００２２】
収納フレーム２は矩形状で、且つ箱形に形成されており、バックライト装置１２の厚さ方向（図２に示すＺ方向をいい、以下「第３方向Ｚ」ともいう）におけるＺ１側に、反射板５、導光板６及び光学シート７を積層させた状態で収納している。
また、収納フレーム２は、ゴムブッシュ４を固定する一対の固定穴（図示せず）と、複数の係止部２１と、を備える。
一対の固定穴は、収納フレーム２の底部２２において、バックライト装置１２の短手方向（図２に示すＹ方向をいい、以下、「第２方向Ｙ」ともいう）におけるＹ１側の両端に形成されている。
複数の係止部２１は、収納フレーム２の側壁部２３における外壁側に形成されている。
【００２３】
フレキシブル基板３は、収納フレーム２の内部に取り付けられている。具体的には、フレキシブル基板３は、第２方向ＹにおけるＹ２側の側壁部２３の内壁に貼り付けられる（図３参照）。
フレキシブル基板３は、複数の発光ダイオードＬＥＤを備え、発光ダイオードＬＥＤが内側（Ｙ１側）を向く（内側を照射する）ように収納フレーム２の内壁に貼り付けられている。
【００２４】
ゴムブッシュ４は、収納フレーム２の第２方向ＹにおけるＹ１側の両端に配置され、バックライト装置１２の長手方向（図２に示すＸ方向をいい、以下、「第１方向Ｘ」ともいう）及び第２方向Ｙを含む水平方向における反射板５、導光板６及び光学シート７の動き（ガタつき）を抑える。
【００２５】
ゴムブッシュ４は、第２方向ＹにおけるＹ１側の側壁部２３の内壁に当接するように配置されたブッシュ本体４０と、ブッシュ本体４０から突出する凸状部４１と、を備える。
ブッシュ本体４０は、第３方向Ｚにおける長さが、反射板５、導光板６及び光学シート７を積層させた状態における長さ（第３方向Ｚにおける厚さ）よりも長く（厚く）なるように形成されている。
【００２６】
また、ブッシュ本体４０は、ゴムブッシュ４を収納フレーム２に固定するための固定突起部（図示せず）を備える。固定突起部は、第３方向ＺにおけるＺ２側に形成されており、収納フレーム２に形成された固定穴に嵌挿可能に形成されている。
【００２７】
凸状部４１は、第２方向ＹにおけるＹ１側の両端部で収納フレーム２に固定されたブッシュ本体４０のＹ２側に突出するように形成されている。また、凸状部４１は、第３方向Ｚにおける長さが、反射板５、導光板６及び光学シート７を積層させた状態における長さ（第３方向Ｚにおける厚さ）よりも長く（厚く）なるように形成されている。
【００２８】
反射板５は、導光板６が反射板５側に出射した光を液晶表示パネル１１に反射させる。
反射板５は、収納フレーム２に収納可能な矩形状に形成されており、収納フレーム２の第３方向ＺにおけるＺ１側に配置される。
また、反射板５は、第２方向ＹにおけるＹ２側に形成されるＬＥＤ配置部５０と、第２方向ＹにおけるＹ１側の両端部（第１方向Ｘに沿ったＹ１側の一側部における両端）に形成される一対の凹状部５１と、を備える。
【００２９】
ＬＥＤ配置部５０は、収納フレーム２に貼り付けられるフレキシブル基板（発光ダイオードＬＥＤ）３を配置可能に矩形状に切り欠いて形成されている。
【００３０】
凹状部５１は、ゴムブッシュ４のブッシュ本体４０を配置可能に矩形状に切り欠いて形成された第１凹状部５２と、凸状部４１を配置可能に矩形状に切り欠いて形成された第２凹状部５３と、を備える。
【００３１】
第１凹状部５２は、収納フレーム２に固定されたブッシュ本体４０と所定距離離間するように形成されている。言い換えると、第１凹状部５２は、第１凹状部５２とブッシュ本体４０との間に所定の隙間ができるように形成されている。
【００３２】
第２凹状部５３は、第１凹状部５２から第２方向ＹにおけるＹ２側に突出するように形成されている。
また、第２凹状部５３は、常温時において、外側（第１方向ＸにおけるＸ１側に形成された第２凹状部５３においてはＸ１側、第１方向ＸにおけるＸ２側に形成された第２凹状部５３においてはＸ２側）近傍に、ゴムブッシュ４の凸状部４１が配置するように形成されている。
【００３３】
更に、第２凹状部５３は、少なくとも一部が凸状部４１に当接するように形成されている。本実施形態においては、第２凹状部５３は、常温時において、第２凹状部５３の第２方向Ｙにおける長さが凸状部４１の第２方向Ｙにおける長さよりも短くなるように形成されている。つまり、常温時においては、凸状部４１の先端が第２方向ＹにおけるＹ２側に当接しており、第２凹状部５２は、凸状部４１の先端により、第２方向ＹにおけるＹ２側に押圧されている。
【００３４】
導光板６は、発光ダイオードＬＥＤが発光した光を液晶表示パネル１１に均一に拡散させる。導光板６は、アクリル樹脂やポリカーボネート樹脂等の透明の合成樹脂を材料として、射出成形等により形成される。
導光板６は、収納フレーム２に収納可能な矩形状に形成されており、反射板５の第３方向ＺにおけるＺ１側に配置される。
また、導光板６は、第２方向ＹにおけるＹ２側に形成されるＬＥＤ配置部６０と、第２方向ＹにおけるＹ１側の両端部（第１方向Ｘに沿ったＹ１側の一側部における両端）に形成される一対の凹状部６１と、を備える。
【００３５】
ＬＥＤ配置部６０は、収納フレーム２に貼り付けられるフレキシブル基板（発光ダイオードＬＥＤ）３を配置可能に矩形状に切り欠いて形成されている。
【００３６】
凹状部６１は、ゴムブッシュ４のブッシュ本体４０を配置可能に矩形状に切り欠いて形成された第１凹状部６２と、凸状部４１を配置可能に矩形状に切り欠いて形成された第２凹状部６３と、を備える。
第１凹状部６２は、収納フレーム２に固定されたブッシュ本体４０と所定距離離間するように形成されている。言い換えると、第１凹状部６２は、ブッシュ本体４０との間に所定の隙間ができるように形成されている。
【００３７】
第２凹状部６３は、第１凹状部６２から第２方向ＹにおけるＹ２側に突出するように形成されている。
また、第２凹状部６３は、常温時において、外側（第１方向ＸにおけるＸ１側に形成された第２凹状部６３においてはＸ１側、第１方向ＸにおけるＸ２側に形成された第２凹状部６３においてはＸ２側）近傍に、ゴムブッシュ４の凸状部４１が配置するように形成されている。
【００３８】
更に、第２凹状部６３は、少なくとも一部が凸状部４１に当接するように形成されている。本実施形態においては、第２凹状部６３は、常温時において、第２凹状部６３の第２方向Ｙにおける長さが凸状部４１の第２方向Ｙにおける長さよりも短くなるように形成されている。つまり、常温時においては、凸状部４１の先端が第２方向ＹにおけるＹ２側に当接しており、第２凹状部６３は、凸状部４１の先端により、第２方向ＹにおけるＹ２側に押圧されている。
【００３９】
複数の光学シート７は、導光板６から照射される光を液晶表示パネル１１に均一に照射させる。
光学シート７は、収納フレーム２に収納可能な矩形状に形成されており、導光板６の第３方向ＺにおけるＺ１側に配置される。
また、光学シート７は、第２方向ＹにおけるＹ１側の両端部（第１方向Ｘに沿ったＹ１側の一側部における両端）に形成される一対の凹状部７１を備える。
【００４０】
凹状部７１は、ゴムブッシュ４のブッシュ本体４０を配置可能に矩形状に切り欠いて形成された第１凹状部７２と、凸状部４１を配置可能に矩形状に切り欠いて形成された第２凹状部７３と、を備える。
第１凹状部７２は、収納フレーム２に固定されたブッシュ本体４０と所定距離離間するように形成されている。言い換えると、第１凹状部７２は、ブッシュ本体４０との間に所定の隙間ができるように形成されている。
【００４１】
第２凹状部７３は、第１凹状部７２から第２方向ＹにおけるＹ２側に突出するように形成されている。
また、第２凹状部７３は、常温時において、外側（第１方向ＸにおけるＸ１側に形成された第２凹状部７３においてはＸ１側、第１方向ＸにおけるＸ２側に形成された第２凹状部７３においてはＸ２側）近傍に、ゴムブッシュ４の凸状部４１が配置するように形成されている。
【００４２】
更に、第２凹状部７３は、少なくとも一部が凸状部４１に当接するように形成されている。本実施形態においては、第２凹状部７３は、常温時において、第２凹状部７３の第２方向Ｙにおける長さが凸状部４１の第２方向Ｙにおける長さよりも短くなるように形成されている。つまり、常温時においては、凸状部４１の先端が第２方向ＹにおけるＹ２側に当接しており、第２凹状部７３は、凸状部４１の先端により、第２方向ＹにおけるＹ２側に押圧されている。
【００４３】
第２固定フレーム８は、光学シート７の第３方向ＺにおけるＺ１側に配置されており、収納フレーム２に収納された反射板５、導光板６及び光学シート７を、Ｚ１側から固定する。つまり、第２固定フレーム８は、収納フレーム２に収納された反射板５、導光板６及び光学シート７が収納フレーム２から飛び出さないように、第３方向Ｚの動き（ガタつき）を抑える。
【００４４】
第２固定フレーム８は、例えば、長尺の金属板を折り曲げ加工等してフレーム状に成形したものであり、光学シート７に当接して光学シート７等を固定する固定部８０と、固定部８０の周縁に立設されるリブ部８１と、を備える。
【００４５】
リブ部８１は、複数の第２係合穴８２と、複数の第２係合爪８３と、を備える。
複数の第２係合穴８２は、収納フレーム２の側壁２３の外壁側に形成された複数の係止部２１を係止可能に形成されている。つまり、複数の第２係合穴８２に、対応する複数の係止部２１を係止させることにより、第２固定フレーム８は、収納フレーム２に固定（係合）される。
【００４６】
複数の第２係合爪８３は、内方側に突出するように形成されており、第１固定フレーム１０のリブ部１０ｂに形成された複数の第１係合穴１０ｃに係合可能に形成されている。つまり、第１固定フレーム１０の複数の第１係合穴１０ｃに、対応する複数の第２係合爪８３を係合させることにより、第１固定フレーム１０は、第２固定フレーム８に固定される。これにより、液晶表示パネル１１とバックライト装置１２とが一体化される。
【００４７】
電源基板１３は、バックライト装置１２に電気的に接続されており、バックライト装置１２に所定の電源を供給する。
基板カバー１４は、電源基板１３の裏面側において、電源基板１３を被覆するように配置されている。基板カバー１４は、電源基板１３を保護する。
【００４８】
次に、第１実施形態に係る液晶表示装置１の作用について、図４から図６を参照しながら説明する。
【００４９】
なお、以下においては、導光板６を用いて説明するが、導光板６と同様の構成を有する反射板５及び光学シート７についても同様の作用を奏する。
図４は、常温時におけるゴムブッシュ４と導光板６の凹状部６１との関係を示す正面図である。図５は、低温時におけるゴムブッシュ４と導光板６の凹状部６１との関係を示す正面図である。図６は、高温時におけるゴムブッシュ４と導光板６の凹状部６１との関係を示す正面図である。
【００５０】
図４に示すように、常温時においては、第２凹状部６３は、第２凹状部６３の第２方向Ｙにおける長さａ（凹状部の深さ）が凸状部４１の第２方向Ｙにおける長さｂ（凸状部の長さ）よりも短くなるように形成されている。そのため、常温時においては、凸状部４１の先端部４４が第２凹状部６３の上部（第２方向ＹにおけるＹ２側）６４に当接し、第２凹状部６３が凸状部４１の先端部４４により、第２方向ＹにおけるＹ２側に押圧される。
【００５１】
このように、常温時においては、第１方向Ｘにおける両側それぞれに設けられる凸状部４１の先端部４４が第２凹状部６３を第２方向ＹにおけるＹ２側に押圧することにより、導光板６の動き（ガタつき）が抑えられる。
【００５２】
一方、図５に示すように、低温時においては、導光板６は、矢印Ａの方向に収縮する。
この場合においては、導光板６の収縮により矢印Ａの方向に移動する第２凹状部６３の側部６５によって、凸状部４１の側部４５が押圧される。導光板６の収縮により、第２凹状部６３の側部６５に凸状部４１の側部４５が押圧されると、凸状部４１が弾性変形する。凸状部４１が弾性変形すると、凸状部４１の側部４５が第２凹状部６３の側部６５を第１方向ＸにおけるＸ１側（第１方向ＸにおけるＸ２側に固定されたゴムブッシュ４においては、Ｘ２側）に押圧する。
【００５３】
このように、温度の低下により導光板６が収縮した場合には、第１方向Ｘにおける両側それぞれに設けられる凸状部４１の側部４５が第２凹状部６３の側部６５を押圧することにより、導光板６の動き（ガタつき）が抑えられる。
【００５４】
また、図６に示すように、高温時においては、導光板６は、矢印Ｂの方向に膨張する。
この場合においては、導光板６の膨張により矢印Ｂの方向に移動する第２凹状部６３の上部６４によって、凸状部４１の先端部４４が押圧される。導光板６の膨張により、第２凹状部６３の上部６４に凸状部４１の先端部４４が押圧されると、凸状部４１が弾性変形する。凸状部４１が弾性変形すると、凸状部４１の先端部４４が第２凹状部６３の上部６４を第２方向ＹにおけるＹ２側に押圧する。
【００５５】
このように、温度の上昇により導光板６が膨張した場合には、第１方向Ｘにおける両側それぞれに設けられる凸状部４１の先端部４４が第２凹状部６３の上部６４を押圧することにより、導光板６の（ガタつき）が抑えられる。
【００５６】
なお、第１凹状部６２は、収納フレーム２に固定されたブッシュ本体４０と所定距離離間して形成されている。言い換えると、第１凹状部６２は、ブッシュ本体４０との間に所定の隙間ができるように形成されている。そのため、導光板６が膨張した場合においても、導光板６の凹状部６１は、第１凹状部６２とブッシュ本体４０と隙間（クリアランス）を設けた分だけ矢印Ｂの方向に移動可能となる。
【００５７】
ここで、例えば、車載用として用いられる液晶表示装置においては、用いられる環境温度の範囲が−４０〜１１０℃となる。このような条件においては、導光板８の熱膨張、熱収縮による変形は特に大きくなる。よって、液晶表示装置１において、図５及び図６で説明した状況が顕著に発生する。
【００５８】
以上のような構成を有する第１実施形態に係る液晶表示装置１によれば、以下のような効果を奏する。
第１実施形態に係るバックライト装置１２及び液晶表示装置１は、凸状部４１を有する一対のゴムブッシュ４と、凹状部５１を有する反射板５と、凹状部６１を有する導光板６と、凹状部７１を有する光学シート７と、を備える。また、凸状部４１は、少なくとも一部が凹状部５１，６１，７１に当接すると共に、凹状部５１，６１，７１を押圧可能に形成されている。
そのため、例えば、導光板６が低温時に収縮した場合や高温時に膨張した場合においても、導光板６の水平方向における動作（ガタつき）を好適に抑えることができる。その結果、導光板６のガタつきから生じる、導光板６の破損などの不具合を抑制することができる。また、導光板６のガタつきから生じるガタつき音が発生することを防止することができる。
【００５９】
また、第１実施形態に係るバックライト装置１２及び液晶表示装置１は、積層配置した複数の光学シート７それぞれの水平方向における移動が、ゴムブッシュ４により規制される。そのため、光学シート７同士が互いに擦れあうことを抑制することができる。これにより、光学シート７同士が擦れることにより生じる異物の発生を抑制することができる。
【００６０】
また、第１実施形態に係るバックライト装置１２及び液晶表示装置１は、凸状部４１が凹状部６１の外側（第１方向ＸにおけるＸ１側に形成された第２凹状部６３においてはＸ１側、第１方向ＸにおけるＸ２側に形成された第２凹状部６３においてはＸ２側）近傍に配置されている。そのため、例えば、導光板６が収縮した場合において、凸状部４１の先端部４４が第２凹状部６３の上部６４が離れてしまった場合においても、すぐに第２凹状部６３の側部６５が凸状部４１の側部４５に当接して、導光板６のガタつきを抑えることができる。
【００６１】
また、ゴムブッシュ４及び導光板６は、簡単な構造により作成されている。そのため、バックライト装置１２及び液晶表示装置１は、容易に分解することができる。これにより、例えば、部品交換等のメンテナンスが容易となる。
【００６２】
また、第１実施形態に係るバックライト装置１２及び液晶表示装置１は、ブッシュ本体４０を収納ケース２に固定している。つまり、凸状部４１は、収納ケース２に固定されていない。そのため、凸状部４１は、水平方向への自由度が大きい。これにより、導光板６の熱膨張、熱収縮による変形に十分対応ができ、好適に導光板６のガタつきを抑えることができる。
【００６３】
［第２実施形態］
次に、本発明の第２実施形態に係る液晶表示装置１Ａについて、図１及び図２に加え、図７を参照しながら説明する。
図７は、本発明の第２実施形態に係るバックライト装置１２Ａの正面図である。
【００６４】
図１、図２及び図７に示すように、第２実施形態に係る液晶表示装置１Ａは、ゴムブッシュ４Ａ、反射板５に形成される一対の凹状部５１Ａ、導光板６に形成される一対の凹状部６１Ａ及び光学シート７に形成される一対の凹状部７１Ａの形状が異なる点において、第１実施形態に係る液晶表示装置１と相違する。そのため、第２実施形態においては、第１実施形態と異なる点、つまり、ゴムブッシュ４Ａ、反射板５に形成される一対の凹状部５１Ａ、導光板６に形成される一対の凹状部６１Ａ及び光学シート７に形成される一対の凹状部７１Ａを中心に説明する。
【００６５】
なお、第２実施形態において、第１実施形態に係る液晶表示装置１と同様の構成については、同じ符号を付してその説明を省略する。また、液晶表示装置１Ａ及びバックライト装置１２Ａの全体構成は、図１及び図２を援用して、その説明を省略する。
また、第２実施形態において、第１実施形態と同様の構成のものについては、第１実施形態と同様の効果を奏する。
【００６６】
図１に示すように、第２実施形態に係る液晶表示装置１Ａは、第１固定フレーム１０と、液晶表示パネル１１と、バックライト装置１２Ａと、電源基板１３と、基板カバー１４と、を備える。
図２及び図７に示すように、第２実施形態に係るバックライト装置１２Ａは、収納フレーム２と、発光体としての複数の発光ダイオードＬＥＤを備えるフレキシブル基板３と、弾性部材である一対のゴムブッシュ４Ａと、反射板５と、導光板６と、複数の光学シート７と、固定フレームとしての第２固定フレーム８と、を備える。
【００６７】
一対のゴムブッシュ４Ａは、収納フレーム２の第２方向ＹにおけるＹ１側の両端で固定され、第１方向Ｘ及び第２方向Ｙを含む水平方向における反射板５、導光板６及び光学シート７の動作(ガタつき)を抑える。
【００６８】
ゴムブッシュ４Ａは、ブッシュ本体４０と、ブッシュ本体４０から突出する凸状部４１Ａと、を備える。
【００６９】
ブッシュ本体４０は、第２方向ＹにおけるＹ１側の両端部で収納フレーム２に固定されている。凸状部４１Ａは、ブッシュ本体４０のＹ２側に突出するように形成されている。
また、凸状部４１Ａは、ブッシュ本体４０の第１方向Ｘにおける内側（第１方向ＸにおけるＸ１側に配置された第凸状部４１ＡにおいてはＸ２側、第１方向ＸにおけるＸ２側に配置された凸状部４１ＡにおいてはＸ１側）に位置するように設けられている。
【００７０】
また、凸状部４１Ａは、第３方向Ｚにおける長さが、反射板５、導光板６及び光学シート７を積層させた状態における長さ（第３方向Ｚにおける厚さ）よりも長く（厚く）なるように形成されている。
【００７１】
更に、凸状部４１Ａは、第１方向Ｘにおける外側（第１方向ＸにおけるＸ１側に配置された第凸状部４１ＡにおいてはＸ１側、第１方向ＸにおけるＸ２側に配置された凸状部４１ＡにおいてはＸ２側）に向かって下り傾斜する当接部４６を有する。本実施形態においては、当接部４６は、４５度の角度で、長手方向（第１方向Ｘ）における外側に下り傾斜するように形成されている。
【００７２】
反射板５は、第２方向ＹにおけるＹ２側に形成されるＬＥＤ配置部５０と、第２方向ＹにおけるＹ１側の両端部（第１方向Ｘに沿ったＹ１側の一側部における両端）に形成される一対の凹状部５１Ａと、を備える。
【００７３】
凹状部５１Ａは、ゴムブッシュ４Ａのブッシュ本体４０を配置可能に矩形状に切り欠いて形成された第１凹状部５２Ａと、凸状部４１Ａを配置可能に矩形状に切り欠いて形成された第２凹状部５３Ａと、を備える。
【００７４】
第２凹状部５３Ａは、第１凹状部５２から第２方向ＹにおけるＹ２側に突出するように形成されている。
また、第２凹状部５３Ａは、第１方向Ｘ（図７参照）における外側（第１方向ＸにおけるＸ１側に配置された第２第凹状部５３ＡにおいてはＸ１側、第１方向ＸにおけるＸ２側に配置された第２凹状部５３ＡにおいてはＸ２側）に向かって下り傾斜する傾斜部５６を有する。
【００７５】
傾斜部５６は、ゴムブッシュ４Ａの凸状部４１Ａに形成された当接部４６に当接するように形成されている。本実施形態においては、傾斜部５６は、当接部４６と当接するように４５度の角度で下り傾斜するように形成されている。また、傾斜部５６は、反射板５の伸縮による最大移動（最大変形）時においても、当接部４６に当接可能に形成されている。
【００７６】
導光板６は、第２方向ＹにおけるＹ２側に形成されるＬＥＤ配置部６０と、第２方向ＹにおけるＹ１側の両端部（第１方向Ｘに沿ったＹ１側の一側部における両端）に形成される一対の凹状部６１Ａと、を備える。
【００７７】
凹状部６１Ａは、ゴムブッシュ４Ａのブッシュ本体４０を配置可能に矩形状に切り欠いて形成された第１凹状部６２Ａと、凸状部４１Ａを配置可能に矩形状に切り欠き状に形成された第２凹状部６３Ａと、を備える。
【００７８】
第２凹状部６３Ａは、第１凹状部６２から第２方向ＹにおけるＹ２側に突出するように形成されている。
また、第２凹状部６３Ａは、第１方向Ｘにおける外側（第１方向ＸにおけるＸ１側に配置された第２第凹状部６３ＡにおいてはＸ１側、第１方向ＸにおけるＸ２側に配置された第２凹状部６３ＡにおいてはＸ２側）に向かって下り傾斜する傾斜部６６を有する。
【００７９】
傾斜部６６は、ゴムブッシュ４Ａの凸状部４１Ａに形成された当接部４６に当接するように形成されている。本実施形態においては、傾斜部６６は、当接部４６と当接するように４５度の角度で下り傾斜するように形成されている。また、傾斜部６６は、導光板６の伸縮による最大移動（最大変形）時においても、当接部４６に当接可能に形成されている。
【００８０】
光学シート７は、第２方向ＹにおけるＹ１側の両端部（第１方向Ｘに沿ったＹ１側の一側部における両端）に形成される一対の凹状部７１Ａと、を備える。
【００８１】
凹状部７１Ａは、ゴムブッシュ４Ａのブッシュ本体４０を配置可能に矩形状に切り欠いて形成された第１凹状部７２Ａと、凸状部４１Ａを配置可能に矩形状に切り欠き状に形成された第２凹状部７３Ａと、を備える。
【００８２】
第２凹状部７３Ａは、第１凹状部７２から第２方向ＹにおけるＹ２側に突出するように形成されている。
また、第２凹状部７３Ａは、第１方向Ｘ（図７参照）における外側（第１方向ＸにおけるＸ１側に配置された第２第凹状部７３ＡにおいてはＸ１側、第１方向ＸにおけるＸ２側に配置された第２凹状部７３ＡにおいてはＸ２側）に向かって下り傾斜する傾斜部７６を有する。
【００８３】
傾斜部７６は、ゴムブッシュ４Ａの凸状部４１Ａに形成された当接部４６に当接するように形成されている。本実施形態においては、傾斜部７６は、当接部４６と当接するように４５度の角度で下り傾斜するように形成されている。また、傾斜部７６は、光学シート７の伸縮による最大移動（最大変形）時においても、当接部４６に当接可能に形成されている。
【００８４】
次に、第２実施形態に係る液晶表示装置１Ａの作用について、図７に加え、図８及び図９を参照しながら説明する。
【００８５】
なお、以下においては、導光板６を用いて説明するが、導光板６と同様の構成を有する反射板５及び光学シート７についても同様の作用を奏する。
図８は、図７に示すＣ部の部分拡大図である。図９は、図７に示すＤ部の部分拡大図である。
【００８６】
図７に示すように、常温時においては、ゴムブッシュ４Ａの凸状部４１Ａに形成された当接部４６と、導光板６の第２凹状部６３Ａに形成された傾斜部６６とが当接しており、傾斜部６６が当接部４６に押圧されている。
このように、常温時においては、当接部４６が傾斜部６６を押圧することより、導光板６の動き（ガタつき）が抑えられる。
【００８７】
一方、図８及び図９に示すように、導光板６が膨張または収縮すると、第２凹状部６３Ａは、矢印Ｅ及び矢印Ｆの方向に移動する。
しかしながら、傾斜部６６は、当接部４６の傾斜面に沿って移動すると共に、最大移動時においても、当接部４６と傾斜部６６とは、互いに当接するように構成されている。
そのため、例えば、低温時において、導光板６が収縮した場合においても、当接部４６が傾斜部６６を押圧する状態が維持され、導光板６の動き（ガタつき）が抑えられる。
また、例えば、高温時において、導光板６が膨張した場合においても、当接部４６が傾斜部６６を押圧する状態が維持され、導光板６の動き（ガタつき）が抑えられる。
【００８８】
以上のような構成を有する第２実施形態に係る液晶表示装置１Ａによれば、以下のような効果を奏する。
第２実施形態に係る液晶表示装置１Ａは、第１実施形態に係る構成に加え、ゴムブッシュ４Ａの凸状部４１Ａに形成される当接部４６と、当接部４６に当接する傾斜部５６，６６，７６とを備える。
そのため、導光板６が低温時に収縮した場合や高温時に膨張した場合においても、導光板６の水平方向における動作（ガタつき）を好適に抑えることができる。その結果、導光板６のガタつきから生じる、導光板６の破損などの不具合を抑制することができる。また、導光板６のガタつきから生じるガタつき音が発生することを防止することができる。
【００８９】
以上、本発明の実施形態について説明したが、本発明は上述した実施形態に限定されるものではない。また、本発明の実施形態に記載された効果は、本発明から生じる最も好適な効果を列挙したに過ぎず、本発明による効果は、本発明の実施形態に記載されたものに限定されない。
【００９０】
例えば、本実施形態においては、発光体として、複数の発光ダイオードＬＥＤを用いて説明したが本発明においてはこれに限定されない。発光体として、例えば、冷陰極蛍光管等を用いたものであってもよい。本発明においては、発熱量の多い冷陰極蛍光管を発光体として使用した場合においても、導光板等のガタつきを好適に抑制することができる。
【００９１】
また、本実施形態においては、ゴムブッシュ４は、ブッシュ本体４０に固定突起を設け、固定突起を収納フレーム２の固定穴に嵌挿させることにより固定したが、本発明においてはこれに限定されない。ゴムブッシュ４は、ブッシュ本体４０が収納フレーム２に固定されていればよい。
【００９２】
また、第２実施形態においては、当接部４６及び傾斜部５６，６６，７６は、傾斜角度が４５度になるように形成したが、本発明においてはこれに限定されない。当接部４６及び傾斜部５６，６６，７６の傾斜角度は、導光板の縦方向の長さ及び横方向の長さに基づいて設定することができる。
例えば、導光板６の第１方向Ｘの長さを２６０ｍｍ、第２方向Ｙの長さを１３０ｍｍとした場合においては、第１方向Ｘへは、導光板６の第１方向Ｘにおける中央からＸ１側及びＸ２側にそれぞれ均等に伸縮する。そのため、第１方向Ｘにおける中央から端部までの長さと第２方向Ｙにおける長さとが同じになる。これにより、伸縮方向、即ち第２実施形態における傾斜角度を４５度に設計することができる。
【符号の説明】
【００９３】
１    液晶表示装置
２    収納フレーム
３    フレキシブル基板
４    ゴムブッシュ（弾性部材）
５    反射板
６    導光板
７    光学シート
８    第２固定フレーム（固定フレーム）
１０    第１固定フレーム
１１    液晶表示パネル
１２    バックライト装置
４０    ブッシュ本体
４１    凸状部
５１，６１，７１    凹状部
５２，６２，７２    第１凹状部
５３，６３，７３    第２凹状部
ＬＥＤ    発光ダイオード
【図１】
0005535795.tif 000002
【図２】
0005535795.tif 000003
【図３】
0005535795.tif 000004
【図４】
0005535795.tif 000005
【図５】
0005535795.tif 000006
【図６】
0005535795.tif 000007
【図７】
0005535795.tif 000008
【図８】
0005535795.tif 000009
【図９】
0005535795.tif 000010